(57)【要約】【課題】車両が加速状態から急に減速状態に移行した場合でも、ブレーキランプを点灯させて後続車両の追突を防止する。【解決手段】路上を走行する車両のブレーキランプの点灯制御装置に、制御回路を設け、この制御回路に車両に設けたセンサからの車両の運転状態信号、及び運転者によるシフトレバーの操作信号とアクセルペダルの操作量信号を入力しておく。制御回路は、車両の運転状態が加速状態の時に、シフトレバーの操作信号又はアクセルペダルの操作量信号により、運転者の減速意志を判定した時、或いは運転者の減速意志が推定される時に、ブレーキランプ点灯回路を駆動してブレーキランプを点灯させる。この制御により、後続の車両に先行車両の加速直後の減速状態を伝達することができ、後続車両の先行車両への衝突を防止することができる。【選択図】図７
2010143332.tif 000002
【特許請求の範囲】
【請求項１】
路上を走行する車両のブレーキランプの点灯を制御する制御装置であって、
車両の運転状態を検出する手段からの信号により、車両の加速状態を判定する手段と、
運転者によるシフトレバーの操作信号、或いはアクセルペダルの操作量信号により、運転者の減速意志を判定する手段と、
車両の加速状態の判定中に、運転者の減速意志を判定した時に、ブレーキランプを点灯する手段と、
を備えることを特徴とする制御装置。
【請求項２】
前記車両の加速状態を判定する手段は、車両の走行距離が所定距離以上で、かつアクセル開度が所定開度以上の時間が所定時間以上継続する、又は実加速度が所定加速度以上の時に、車両の加速状態を判定することを特徴とする請求項１に記載の制御装置。
【請求項３】
前記運転者の減速意志を判定する手段は、アクセルオフ、かつシフトダウン操作を検出した時に、運転者に減速意志があると判定することを特徴とする請求項１又は２に記載の制御装置。
【請求項４】
前記運転者の減速意志を判定する手段は、アクセルオフ、かつシフトダウン操作を検出した後に、アクセルオフの状態が所定時間以上継続した時に、運転者に減速意志があると判定することを特徴とする請求項１又は２に記載の制御装置。
【請求項５】
前記ブレーキランプを点灯する手段は、車速が所定車速以上の時に前記ブレーキランプを点灯することを特徴とする請求項１から４の何れか１項に記載の制御装置。
【請求項６】
路上を走行する車両のブレーキランプの点灯を制御する制御装置であって、
車両の運転状態を検出する手段からの信号により、車両の加速状態を判定する手段と、
運転者によるシフトレバーの操作信号、或いはアクセルペダルの操作量信号により、運転者の減速意志を予測する手段と、
車両の加速状態の判定中に、運転者の減速意志が予測される時に、ブレーキランプを点灯する手段と、
を備えることを特徴とする制御装置。
【請求項７】
前記車両の加速状態を判定する手段は、車両の走行距離が所定距離以上で、かつアクセル開度が所定開度以上の時間が所定時間以上継続する、又は実加速度が所定加速度以上の時に、車両の加速状態を判定することを特徴とする請求項６に記載の制御装置。
【請求項８】
前記運転者の減速意志を予測する手段は、アクセルオフ、かつシフトダウン操作を検出した時に、運転者に減速意志があると予測することを特徴とする請求項６又は７に記載の制御装置
【請求項９】
前記運転者の減速意志を予測する手段は、アクセルオフ、かつシフトダウン操作を検出した後に、アクセルオフの状態が所定時間以上継続した時に、運転者に減速意志があると判定することを特徴とする請求項６又は７に記載の制御装置。
【請求項１０】
前記ブレーキランプを点灯する手段は、車速が所定車速以上の時に前記ブレーキランプを点灯することを特徴とする請求項６から９の何れか１項に記載の制御装置。
【発明の詳細な説明】
【技術分野】
【０００１】
本発明は制御装置に関し、特に、自動車等の車両走行中に、ブレーキペダル操作以外の操作による減速発生時に、ブレーキランプを点灯させて後続車の先行車への衝突を未然に防止するようにブレーキランプの点灯を制御する制御装置に関する。
【背景技術】
【０００２】
路上を走行する車両には、走行中の車両を停止状態にする、或いは車両の停止状態を維持するためのブレーキ装置が設けられている。そして、ブレーキ装置の動作中は、ブレーキランプを点灯させることによって、後続の車両に先行する車両の減速状態、或いは停車状態を視認させる。このようなブレーキランプは、一般の車両ではブレーキペダルを踏むことによって点灯するようになっている。
【０００３】
一方、商業用の車両、例えばトラックに搭載されたブレーキ装置には、ブレーキペダルを踏む以外にも、エンジンの排気ガス通路を流れる排気ガスをせき止めて車両の走行を制動する排気ブレーキがある。また、一般の車両にも、走行中に変速機をシフトダウン操作することにより、エンジンの回転数を下げる方向に作用するエンジンブレーキを働かせて車両を制動するブレーキ装置もある。
【０００４】
ところが、このような排気ブレーキやエンジンブレーキを利用して車両を制動する場合は、ブレーキランプは点灯しないので、後続の車両は先行する車両の減速を知ることができない。よって、このようなブレーキランプが点灯しない減速を車両が行った場合は、後続の車両は先行車両との車間距離を維持できず、最悪の場合には衝突する虞がある。そこで、車両の走行中にブレーキペダルの操作以外で車両が減速した場合でも、ブレーキランプを点灯させるようにしたブレーキ点灯制御装置が知られている（特許文献１参照）。
【０００５】
具体的には、特許文献１に記載のブレーキ灯点灯制御装置では、以下の状態の時にブレーキランプを点灯させるようにしている。
（１）シフトダウン操作と車速の所定値以上の減速状態の検出
（２）シフトダウン操作と所定値以上のエンジン回転数の上昇度の検出
（３）シフトダウン操作と排気ブレーキの動作の検出
（４）シフトダウン操作とアクセルオフ状態の検出
【０００６】
これに加えて、車速毎に減速判定を行い、所定速度以上（例えば、時速４０ｋｍ以上）の時に、所定よりも大きな減速がなされたと判定した場合にブレーキランプを点灯するブレーキ点灯制御装置もある。また、車両の下り坂の走行状態を検出した時に減速判定を補正し、所定よりも大きな減速がなされたと判定した時にブレーキランプを点灯させるブレーキ点灯制御装置もある。
【０００７】
【特許文献１】実開平５−２２１８９号公報（図１）
【発明の開示】
【発明が解決しようとする課題】
【０００８】
ところが、特許文献１に記載のブレーキランプの点灯制御装置における、シフトダウン操作と、車速の減速検出、エンジン回転数の上昇度検出、排気ブレーキの動作検出、及びアクセルオフ状態の検出の何れかの組み合わせによるブレーキランプの点灯や、従来の車速毎の減速判定や、車両の下り坂の走行状態を検出した時の減速判定によるブレーキランプの点灯では、車両の実際の走行状態を正確に読み取れない場合があった。
【０００９】
例えば、シフトダウン操作とアクセルオフ状態の検出だけでブレーキランプを点灯させると、ブレーキランプの点灯範囲が広すぎて、むやみにブレーキランプが点灯してしまうという問題がある。また、車両が急加速した後にシフトレバー操作により急減速した場合は、後続車両に先行車両の加速後の急な減速状態を伝達できない場合があった。
【００１０】
そこで、本発明は前記従来のブレーキランプの点灯制御装置における課題を解消し、これまでの車両の減速判定の条件に、運転者によるギヤのシフトダウン操作前のアクセルペダル操作による加速条件を加えて、車両の加速時に発生する急な減速状態を判定できるようにして、車両のブレーキランプの点灯を制御する制御装置を提供することを目的としている。
【課題を解決するための手段】
【００１１】
前記目的を達成する本発明の第１の形態は、路上を走行する車両のブレーキランプの点灯を制御する制御装置であって、車両の運転状態を検出する手段からの信号により、車両の加速状態を判定する手段と、運転者によるシフトレバーの操作信号、或いはアクセルペダルの操作量信号により、運転者の減速意志を判定する手段と、車両の加速状態の判定中に、運転者の減速意志を判定した時に、ブレーキランプを点灯する手段とを備えることを特徴とする制御装置である。
【００１２】
前記目的を達成する本発明の第２の形態は、路上を走行する車両のブレーキランプの点灯を制御する制御装置であって、車両の運転状態を検出する手段からの信号により、車両の加速状態を判定する手段と、運転者によるシフトレバーの操作信号、或いはアクセルペダルの操作量信号により、運転者の減速意志を予測する手段と、車両の加速状態の判定中に、運転者の減速意志が予測される時に、ブレーキランプを点灯する手段とを備えることを特徴とする制御装置である。
【発明の効果】
【００１３】
本発明によれば、従来の車速毎に減速判定や、車両の下り坂の走行状態を検出した時の減速判定に加えて、減速前の車両の走行状態を記憶し、運転者が車両の加速中に急に減速操作を行った場合にブレーキランプを点灯させるようにしたので、先行車両の予期せぬ減速状態を後続車両が察知することができ、後続の車両の安全性を図ることができる。
【発明を実施するための最良の形態】
【００１４】
以下、添付図面を用いて本発明の実施の形態を、具体的な実施例に基づいて詳細に説明する。
【００１５】
図１（ａ）は、本発明のブレーキランプの点灯を制御する制御装置１０を搭載した自動車１を示すものであり、（ｂ）は制御装置１０の概略構成を示すものである。ブレーキランプの点灯を制御する制御装置１０は一般に、自動車１のインストルメントパネルに内蔵されている。この実施例では、制御装置１０には、プログラムを内蔵するＲＯＭ（読み出し専用メモリ）１１と、ＲＡＭ（読み書き可能なメモリ）１２とを備えるＣＰＵ１３があり、このＣＰＵ１３にＲＯＭ１４とＲＡＭ１５、及びブレーキランプ点灯回路１６が接続されている。ブレーキランプ点灯回路１６は車両に設けられたブレーキランプ７を点灯させる。
【００１６】
また、ブレーキランプの点灯を制御する制御装置１０に内蔵されたＣＰＵ１３には、車速センサ２、ブレーキペダル３の回転支持部に設けられたブレーキペダルスイッチ４、加速度センサ５、及びシフト位置センサ６からの検出値が入力されるようになっている。そして、ＣＰＵ１３は、車速センサ２、ブレーキペダルスイッチ４、加速度センサ５、及びシフト位置センサ６からの入力信号に応じてブレーキランプを点灯するか否かを演算し、点灯必要時に点灯信号をブレーキランプ点灯回路１６に出力する。
【００１７】
ブレーキランプ点灯回路１６に入力されたＣＰＵ１３からの点灯信号は、ブレーキランプの駆動信号に変換されて出力される。そして、ブレーキランプ点灯回路１６から出力されたブレーキランプの駆動信号により、自動車１の後端部に設けられたブレーキランプ７が点灯する。
【００１８】
ここで、以上のように構成された制御装置１０によるブレーキランプ７の点灯制御の一実施例について、図２から図６に示すフローチャートを用いて説明する。
【００１９】
図２は図１（ａ）、（ｂ）に示したブレーキランプの点灯を制御する制御装置１０によるブレーキランプ７の点灯制御処理の全体処理を示すフローチャートである。ステップ２０１では、図１（ａ）、（ｂ）で説明した車速センサ２の出力により、車速が１０ｋｍ以上か否かを判定する。そして、車速が１０ｋｍ未満の時（ＮＯ）にはこのルーチンを終了する。即ち、ブレーキランプ点灯制御装置１０によるブレーキランプ７の点灯制御は行わずにこのルーチンを終了する。
【００２０】
一方、ステップ２０１の判定で、車速が１０ｋｍ以上である（ＹＥＳ）と判定された時はステップ２０２に進む。ステップ２０２では車両が加速状態かどうかを判定する車両の加速状態判定処理が実行され、処理が終了するとステップ２０３に進む。ステップ２０３では、シフトレバーが操作される前に車両が加速状態であるか否かを判定する、シフトレバー操作前加速判定処理が行われる。この処理が終了するとステップ２０４に進む。
【００２１】
ステップ２０４では、運転者に車両の減速意思があるかどうかを判定する運転者の減速意志判定処理が行われ、処理が終了するとステップ２０５に進む。ステップ２０５では車両の運転状態を判定する車両状態判定処理が実行され、処理が終了するとステップ２０６に進む。ステップ２０６ではブレーキランプを点灯させるかどうかを判定するブレーキランプ点灯処理が実行され、処理が終了するとこのルーチンを終了する。ステップ２０２〜ステップ２０６の各処理については、それぞれの実施例を個々に後述する。
【００２２】
図３は図２のステップ２０２における車両の加速状態判定処理の詳細な手順の実施例を示すものである。ステップ３０１では、図１（ａ）に示した自動車１の図示しないアクセルがオフであるか否か、即ち、アクセルの開度が３％以下か否かを判定する。アクセル開度が３％以下の時（ＹＥＳ）は車両が加速状態ではないと判定してステップ３０２に進み、走行距離の積算値をクリアし、次のシフトレバー操作前加速判定処理（図２のステップ２０３の処理）に進む。
【００２３】
一方、ステップ３０１においてアクセル開度が３％より大きい時（ＮＯ）はステップ３０３に進む。ステップ３０３では車両の走行距離の積算を開始し、後述するシフトレバー操作前加速判定フラグをオフにしてステップ３０４に進む。ステップ３０４では車両の走行距離が５０ｍ以上か否かを判定し、５０ｍ未満の時は車両がまだ加速状態ではないと判定して次のシフトレバー操作前加速判定処理に進む。一方、ステップ３０４の判定で、車両の走行距離が５０ｍ以上である時はステップ３０５に進む。
【００２４】
ステップ３０５ではアクセル開度が３０％以上か否かを判定する。まず、アクセル開度が３０％以上の場合（ＹＥＳ）について説明する。この時はステップ３０５からステップ３０６に進み、アクセル開度が３０％以上の継続時間が第１の所定時間以上か否かを判定する。この第１の所定時間は、例えば３秒程度の値である。そして、アクセル開度が３０％以上の継続時間が第１の所定時間以上（ＹＥＳ）であればステップ３０９に進み、車両が加速状態であると判定して加速フラグＡＣＣを“１”にして次のシフトレバー操作前加速判定処理に進む。
【００２５】
一方、ステップ３０６の判定でアクセル開度が３０％以上の継続時間が第１の所定時間未満（ＮＯ）の時はステップ３０７に進み、アクセル開度が３０％以上の継続時間が、第１の所定時間より短い第２の所定時間以上か否かを判定する。この第２の所定時間は、例えば２秒程度の値である。ここで、アクセル開度が３０％以上の継続時間が第２の所定時間以上と判定した場合は、車両が加速状態である可能性があるのでステップ３０８に進んで、車両の実加速度の値がＡ以上か否かを判定する。この実加速度Ａの値は、例えば２０（ｍ／ｓ２：ｓ２はｓの二乗）程度の値である。そして、車両の実加速度の値がＡ以上の場合（ＹＥＳ）はステップ３０９に進み、前述の処理を実行する。
【００２６】
ところが、ステップ３０７の判定でアクセル開度が３０％以上の継続時間が第２の所定時間未満（ＮＯ）の場合、或いはステップ３０８の判定で車両の実加速度の値がＡ未満（ＮＯ）の場合はステップ３１１に進む。ステップ３１１では、車両の加速状態判定処理を行い、車両が非加速状態であると判定して加速フラグＡＣＣを“０”にして次のシフトレバー操作前加速判定処理に進む。
【００２７】
次に、ステップ３０５の判定でアクセル開度が３０％未満の場合（ＮＯ）について説明する。ステップ３０５の判定でアクセル開度が３０％未満の場合（ＮＯ）はステップ３１０に進む。ステップ３１０では、アクセル開度が３０％未満の継続時間が前述の第３の所定時間以上か否かを判定する。アクセル開度が３０％未満の継続時間が第３の所定時間以上の場合はステップ３１１に進み、第３の所定時間に達しない場合は、アクセル開度が３０％未満の継続時間が第３の所定時間以上になるまで待つ。ステップ３１１では車両の加速状態判定処理を行い、車両が非加速状態であると判定して加速フラグＡＣＣを“０”にして次のシフトレバー操作前加速判定処理に進む。
【００２８】
図４は、シフトレバー操作前加速判定処理の詳細な処理手順の一実施例を示すものである。シフトレバー操作前加速判定処理はアクセルがオフ状態の時に行うものである。そこで、ステップ４０１においてアクセルがオフであるか否か、即ち、アクセルの開度が３％以下か否かを判定する。そして、アクセル開度が３％より大きい時（ＮＯ）は次の運転者の減速意思判定処理に進み、アクセル開度が３％以下の時（ＹＥＳ）にステップ４０２に進む。
【００２９】
ステップ４０２では、アクセルがオン状態からオフ状態に切り替わった時か否か、即ち、アクセル開度が３％を超えた状態から３％以下に切り替わった時か否かを判定する。アクセル開度が３％を超えた状態から３％以下に切り替わった時（ＹＥＳ）はステップ４０３に進み、加速フラグＡＣＣが“１”か否かを判定する。加速フラグＡＣＣが“１”でない時は次の運転者の減速意思判定処理に進み、加速フラグＡＣＣが“１”の時はステップ４０４に進む。ステップ４０４では、シフトレバー操作前加速判定フラグをオンにし、このフラグをオンにするタイミングで加速フラグＡＣＣをクリアして“０”にして次の運転者の減速意思判定処理に進む。
【００３０】
一方、ステップ４０２の判定がＮＯ、即ち、アクセルのオン／オフが切り替わっておらず、アクセルオフの状態が続いている時はステップ４０５においてアクセルオフの状態が所定時間継続しているか否かを判定する。アクセルオフの状態が所定時間継続していない時（ＮＯ）は所定時間継続するまで待ち、所定時間継続している時（ＹＥＳ）はステップ４０６に進む。ステップ４０６では、シフトレバー操作前加速判定フラグをオフにし、この後に次の運転者の減速意思判定処理に進む。
【００３１】
図５は、図２のステップ２０４における運転者の減速意思判定処理の詳細な手順の一実施例を示すものである。ステップ５０１では、図１（ａ）に示した自動車１の図示しないアクセルがオフか否か（アクセル開度が３％以下か否か）を判定する。まず、アクセルがオフの時について説明する。
【００３２】
ステップ５０１でアクセルがオフと判定した時（ＹＥＳ）はステップ５０２に進み、ここで運転者によるシフトレバー操作が有るかどうかを判定する。そして、運転者によるシフトレバー操作がない時（ＮＯ）はステップ５０６に進むが、ステップ５０２で運転者によるシフトレバー操作が有ると判定した時（ＹＥＳ）はステップ５０３に進む。ステップ５０３では、シフトダウン操作があるかどうかを判定することにより、行われたシフトレバー操作がシフトアップかシフトダウンかを判定する。
【００３３】
ステップ５０３において運転者によるシフトレバー操作がシフトダウン操作であると判定した場合（ＹＥＳ）はステップ５０４に進み、シフトダウン履歴フラグをオンにしてステップ５０６に進む。一方、ステップ５０３において運転者によるシフトレバー操作がシフトアップ操作であると判定した場合（ＮＯ）はステップ５０５に進み、減速意思なしとして、減速意思フラグＤＣＣをクリアする（ＤＣＣ←０）と共に、シフトダウン履歴フラグをオフにしてからステップ５０６に進む。
【００３４】
ステップ５０６では、シフトダウン履歴フラグがオンか否かを判定し、シフトダウン履歴フラグがオフの場合（ＮＯ）は次の車両状態判定処理に進むが、シフトダウン履歴フラグがオンの場合（ＹＥＳ）はステップ５０７に進む。ステップ５０７ではシフトダウン履歴フラグがオンになってから所定時間が経過したか否かを判定し、所定時間が経過していない場合（ＮＯ）は次の車両状態判定処理に進むが、所定時間が経過した場合（ＹＥＳ）はステップ５０８に進む。ステップ５０８では、運転者に減速意思があると判断して、減速意思フラグＤＣＣをオン（”１”）にして次の車両状態判定処理に進む。
【００３５】
一方、ステップ５０１でアクセルがオンと判定した時（ＮＯ）は、アクセルの踏込中であるのでステップ５０９に進み、ここで運転者に減速意思がないと判断して、減速意思フラグＤＣＣをオフ（”０”）にすると共に、シフトダウン履歴フラグをオフにして次の車両状態判定処理に進む。
【００３６】
次に、図６を用いて図２に示した車両状態判定処理の詳細な処理手順の一実施例を説明する。ステップ６０１ではシフトレバー操作が有るか否か、即ち、シフトレバーが切り替えられたか否かを判定する。まず、シフトレバーが切り替えられた場合（ＹＥＳ）について説明する。ステップ６０１の判定でＹＥＳとなった時はステップ６０２に進み、シフトレバーの切り替えがシフトダウン操作か否かを判定する。シフトレバーの切り替えがシフトダウン操作でない場合（ＮＯ）はシフトレバーの切り替えがシフトダウン操作になるまで待ち、シフトダウン操作であることが確認できた場合はステップ６０３に進む。
【００３７】
ステップ６０３では、シフトレバー操作直後の実加速度Ｇ１の算出、基準加速度の算出、及び車速の算出が行われてステップ６０４に進む。ステップ６０４では車両が高速領域か否か、即ち、車両が時速４０ｋｍ以上で走行中か否かを判定する。車両が時速４０ｋｍ以上で走行している時（ＹＥＳ）はステップ６０５に進み、ランプ点灯判定用の定数Ｘに値Ｋを設定してブレーキランプ制御処理へ進む。また、車両が時速４０ｋｍ未満で走行している時（ＮＯ）はステップ６０６に進む。
【００３８】
ステップ６０６では、車両の走行路が下り坂か否かを判定する。車両が下り坂を走行している時には、実加速度Ｇ１は基準加速度よりも大きくなるので、この判定は、「Ｇ１≧基準加速度」を判定することによって行うことができる。そして、車両が下り坂を走行していると判定された時（ＹＥＳ）はステップ６０７に進み、ランプ点灯判定用の定数Ｘに値Ｌを設定してブレーキランプ制御処理へ進む。また、車両が下り坂を走行していないと判定された時（ＮＯ）はステップ６０８に進む。
【００３９】
ステップ６０８ではシフトレバー操作前加速判定フラグがオンか否かを判定する。そして、レバー操作前加速判定フラグがオンの時にはステップ６０９に進み、ランプ点灯判定用の定数Ｘに値Ｍを設定してブレーキランプ制御処理へ進む。また、レバー操作前加速判定フラグがオフであると判定した時（ＮＯ）はステップ６１０に進む。ステップ６１０ではランプ点灯判定用の定数Ｘに値Ｎを設定してブレーキランプ制御処理へ進む。ここで、ランプ点灯判定用の定数Ｘに設定する値Ｋ，Ｌ，Ｍ，Ｎは、Ｋ＞Ｌ＞Ｍ＞Ｎとなる値である。
【００４０】
一方、ステップ６０１でシフトレバー操作がなかったと判定された時（ＮＯ）はステップ６１１に進む。ステップ６１１では、減速意思フラグＤＣＣがオン（”１”）、かつシフトレバー操作から所定時間が経過したかどうかを判定する。ＮＯの場合はＹＥＳになるまで待つ。そして、減速意思フラグＤＣＣがオン（”１”）、かつシフトレバー操作から所定時間が経過したと判定した時はステップ６１２に進み、このときの実加速度Ｇ２を算出してブレーキランプ点灯処理に進む。
【００４１】
図７は、図２に示したブレーキランプ点灯処理の詳細な処理手順の一実施例を示すものである。ステップ７０１では、減速意思フラグＤＣＣがオン（”１”）、かつシフトレバー操作から所定時間が経過したかどうかを判定する。これは、車両状態判定処理においてステップ６１１とステップ６１２の手順を経たかどうかを判定するものである。ステップ７０１の判定がＮＯの場合はブレーキランプを点灯せずにこのルーチンを終了する。
【００４２】
一方、ステップ７０１の判定がＹＥＳの場合はステップ７０２に進む。ステップ７０２では、ステップ６１２で算出した実加速度Ｇ２が、ランプ点灯判定乗数Ｘよりも小さいか否かを判定する。そして、Ｇ２＜Ｘの場合（ＹＥＳ）はステップ７０５に進み、ブレーキランプを点灯させてこのルーチンを終了する。一方、ステップ７０１の判定がＮＯの場合はステップ７０３に進む。
【００４３】
ステップ７０３では、ランプ点灯判定用の定数Ｘが値Ｍを選択中か否かを判定する。この値Ｍは、前述のステップ６０９で設定されるものである。ステップ７０３の判定がＮＯの場合はブレーキランプを点灯せずにこのルーチンを終了する。一方、ステップ７０３の判定がＹＥＳの場合はステップ７０４に進む。
【００４４】
ステップ７０４では、減速意思フラグＤＣＣがオフ（”０”）からオン（”１”）になってから所定時間経過したか否かを判定する。そして、ステップ７０４の判定がＮＯの場合はブレーキランプを点灯せずにこのルーチンを終了するが、ステップ７０４の判定がＹＥＳの場合はステップ７０５に進み、ブレーキランプを点灯させてこのルーチンを終了する。
【００４５】
以上の制御において、ブレーキランプが点灯される場合は、減速意思フラグＤＣＣの値が”１”でシフトレバー操作から所定時間が経過し、更に、（１）実加速度Ｇ２がランプ点灯判定定数Ｘより小さい時、及び（２）ランプ点灯判定用定数Ｘが値Ｍを選択中でかつ減速意思フラグＤＣＣが”０”から”１”になってから所定時間が経過した時である。
【００４６】
以上説明した実施例に示されるように、本発明では、車両が加速状態である時に、加速状態から急に減速された場合にブレーキランプを点灯させることにより、後続の車両に先行車両の加速直後の減速状態を伝達することができるので、後続車両の先行車両への衝突を防止することができる。
【図面の簡単な説明】
【００４７】
【図１】（ａ）は本発明のブレーキランプの点灯を制御する制御装置を搭載した自動車の側面図であり、（ｂ）はこの制御装置の概略構成を示すブロック構成図である。
【図２】図１（ａ）、（ｂ）に示したブレーキランプの点灯を制御する制御装置によるブレーキランプの点灯制御処理の全体処理を示すフローチャートである。
【図３】図２に示した車両の加速状態判定処理の詳細な手順の一実施例を示すフローチャートである。
【図４】図２に示したシフトレバー操作前加速判定処理の詳細な手順の一実施例を示すフローチャートである。
【図５】図２に示した運転者の減速意志判定処理の詳細な手順の一実施例を示すフローチャートである。
【図６】図２に示した車両状態判定処理の詳細な手順の一実施例を示すフローチャートである。
【図７】図２に示したブレーキランプ点灯処理の詳細な手順の一実施例を示すフローチャートである。
【符号の説明】
【００４８】
１    自動車
２    車速センサ
３    ブレーキペダル
４    ブレーキペダルスイッチ
５    加速度センサ
６    シフト位置センサ
７    ブレーキランプ
１０    制御回路
１６    ブレーキランプ点灯回路
ＤＣＣ    減速意思フラグ
【図１】
2010143332.tif 000003
【図２】
2010143332.tif 000004
【図３】
2010143332.tif 000005
【図４】
2010143332.tif 000006
【図５】
2010143332.tif 000007
【図６】
2010143332.tif 000008
【図７】
2010143332.tif 000009